(57)【要約】【課題】  並列接続して大電流負荷の電源として用いられる複数の二次電池または二次電池ブロックを、簡易にして確実に充電することのできる二次電池装置を提供する。【解決手段】  複数の二次電池ブロックを並列に接続して形成される放電路と、充電用電源と前記複数の二次電池ブロックとの間にそれぞれ介挿されて前記各二次電池ブロックに対する充電路を形成する複数のスイッチと、充電時における前記各二次電池ブロックの満充電を検出する満充電検出手段と、前記複数のスイッチを択一的に導通させて前記二次電池ブロックの１つを充電すると共に、前記満充電検出手段により当該二次電池ブロックの満充電が検出されたときに前記択一的に導通させるスイッチを切り換える充電制御手段とを備える。【選択図】      図１
2006246595.tif 000002
【特許請求の範囲】
【請求項１】
１個の二次電池または直列接続した複数個の二次電池を備えた複数の二次電池ブロックを並列に接続して形成される放電路と、
充電用電源と前記複数の二次電池ブロックとの間にそれぞれ介挿されて前記各二次電池ブロックに対する充電路を形成する複数のスイッチと、
充電時における前記各二次電池ブロックの満充電を検出する満充電検出手段と、
前記複数のスイッチを択一的に導通させて前記二次電池ブロックの１つを充電すると共に、前記満充電検出手段により当該二次電池ブロックの満充電が検出されたときに前記択一的に導通させるスイッチを切り換える充電制御手段と
を具備したことを特徴とする二次電池装置。
【請求項２】
前記充電制御手段は、満充電となった二次電池ブロックに隣接していない二次電池ブロック、または対向面積の少ない二次電池ブロックを次の充電対象として前記スイッチを切り換えるものである請求項１に記載の二次電池装置。
【請求項３】
請求項１に記載の二次電池装置において、
更に前記複数の二次電池ブロックの充放電電流を検出する電流検出手段と、
この電流検出手段にて前記二次電池ブロックの放電電流が検出されたときに前記複数のスイッチの全てを導通させる放電制御手段と
を備えることを特徴とする二次電池装置。
【発明の詳細な説明】
【技術分野】
【０００１】
本発明は、複数の二次電池ブロックを並列接続して用いられる大電力用の二次電池装置に関する。
【背景技術】
【０００２】
シニアカーやロボット等の大電流が要求される小型・軽量の電源として、ニッケル・水素電池やニッケル・カドミウム電池等の小型の二次電池を並列接続して用いることが種々試みられている。またこれらの二次電池を充電するに際して、複数の二次電池をそれぞれダイオードを介して並列接続することで、各二次電池間の充電電圧のバラツキに起因する不具合を防止することが提唱されている（例えば特許文献１を参照）。また充電時には複数の二次電池を直列接続し、放電時には上記各二次電池を並列接続することでその充電電流を小さく押さえることも提唱されている（例えば特許文献２を参照）。
【０００３】
尚、複数の二次電池を並列接続して電源として用いることのみならず、直列接続した複数個の二次電池からなる電池ブロックを複数個並列接続し、これを電源として用いる場合もある。
【特許文献１】特開昭６３−１８１６２３号公報
【特許文献２】特開２００２−１１２４６３号公報
【発明の開示】
【発明が解決しようとする課題】
【０００４】
ところで複数の二次電池（電池ブロック）をそれぞれダイオードを介して並列接続した場合、その放電時（負荷駆動時）における各ダイオードでの発熱が問題となり、例えば各ダイオードの放熱器を装着することが必要とる。また複数の二次電池を近接させて並べて配置している場合、通常、その充電時に外側の二次電池に比較して内側の二次電池の温度が高くなる。するとその温度差に起因して各二次電池の充電効率・充電電圧・充電量に差異が生じ易い。ちなみにこのような二次電池の特性変化を考量しながら充電制御を実行すると、例えばいち早く満充電に達した二次電池が検出された時点でその充電を停止させるので全ての二次電池を完全に充電することができず、全体的に充電不足が生じ易いと言う問題がある。
【０００５】
一方、前述した如く複数の二次電池を直列接続して充電する場合には、直列接続した二次電池の個数（段数）に応じて充電用電源の充電電圧を高くすることが必要である。しかも充電用電源から高電圧が加えられる二次電池装置側においては、例えば耐電圧対策を講じることが必要となり、その構成が複雑化するのみならず価格高となる。しかも取り扱い上の安全性の点でも問題が生じる。
【０００６】
本発明はこのような事情を考慮してなされたもので、その目的は、並列接続して大電流負荷の電源として用いられる複数の二次電池または二次電池ブロックを、簡易にして確実に充電することのできる二次電池装置を提供することにある。
【課題を解決するための手段】
【０００７】
上述した目的を達成するべく本発明に係る二次電池装置は、１個の二次電池または直列接続した複数個の二次電池を備えた複数の二次電池ブロックを並列に接続して放電路を形成し、ロボット等の大電流負荷の電源として用いるに好適なものであって、
充電用電源と前記複数の二次電池ブロックとの間にそれぞれ介挿されて前記各二次電池ブロックに対する充電路を形成する複数のスイッチと、
充電時における前記各二次電池ブロックの満充電を検出する満充電検出手段と、
前記複数のスイッチを択一的に導通させて前記二次電池ブロックの１つを充電すると共に、前記満充電検出手段により当該二次電池ブロックの満充電が検出されたときに前記択一的に導通させるスイッチを切り換える充電制御手段と
を具備したことを特徴としている。
【０００８】
好ましくは複数の二次電池ブロックが互いに近接させて並べて配置されている場合には、請求項２に記載するように前記充電制御手段においては、満充電となった二次電池ブロックに隣接していない二次電池ブロックを、または上記満充電となった二次電池ブロックと対向面積の少ない二次電池ブロックを次の充電対象として前記スイッチを切り換えることが望ましい。即ち、充電により満充電となった二次電池ブロックからの熱の影響が少ない二次電池ブロックを次の充電対象として選択することを特徴としている。
【０００９】
また請求項３に記載するように前記二次電池装置に、更に前記複数の二次電池ブロックの充放電電流を検出する電流検出手段と、この電流検出手段にて前記二次電池ブロックの放電電流が検出されたときには前記複数のスイッチの全てを導通させる放電制御手段とを設けるようにしても良い。ちなみに前記スイッチとしては、例えばＭＯＳ型電界効果トランジスタを用いることが好ましい。
【発明の効果】
【００１０】
上述した構成の二次電池装置によれば、複数の二次電池ブロックをスイッチを介して１つずつ満充電となるまで順次充電するので、複数の二次電池ブロックの並列に一括して充電する場合のように、各二次電池ブロック間の充電量のバラツキに起因する問題を招来することがない。そして全ての二次電池ブロックをそれぞれ確実に充電することができる。  また複数の二次電池ブロックを１つずつ充電するので、例えば隣り合う二次電池ブロック間での、いわゆる煽り熱による温度上昇を抑えることができるので、熱に起因する二次電池ブロックの特性劣化を効果的に抑えて各二次電池ブロックをそれぞれ十分に充電することができる。換言すれば複数の二次電池ブロックの充電不足を効果的に解消することができる。
【００１１】
また複数の二次電池ブロックを互いに近接させて並べて配置されている場合には、充電により温度上昇した二次電池ブロックに隣接する二次電池ブロックを避けて、充電完了した二次電池ブロックからの熱的な影響が少ない二次電池ブロックを次の充電対象として選択するので、二次電池の温度上昇を低く抑えながら充電することができる。従って各二次電池をより効果的に充電することができ、複数の二次電池間の充電量のバラツキを少なくして全体的な充電不足を解消することができる。
【００１２】
更には二次電池ブロックからの放電電流が検出されたとき、前述したスイッチの全てを導通させるようにすれば、ダイオードを介して複数の二次電池を並列接続する場合のようにダイオードでの発熱が問題となることがないので、放熱器の小型化を図り得る等の効果が奏せられる。
【発明を実施するための最良の形態】
【００１３】
以下、図面を参照して本発明の実施形態に係る二次電池装置について説明する。
図１は本発明に係る二次電池装置の第１の実施形態を示す概略構成図で、ＰＳは二次電池装置を構成する複数の二次電池（二次電池ブロック）を充電するための充電用電源であり、ＲＬは上記二次電池装置を電源として作動する負荷である。この負荷ＲＬは、電源スイッチＳＷを介して二次電池装置に接続されて駆動される。尚、ここでは４個の二次電池ブロックＢ１,Ｂ２,Ｂ３,Ｂ４を備えた二次電池装置を例に説明するが、二次電池ブロックの数は特に限定されるものではない。また各二次電池ブロックＢ１,Ｂ２,Ｂ３,Ｂ４は、それぞれ１個の二次電池（二次電池セル）を備えたものであっても良いが、それぞれ複数個の二次電池セルを直列接続したものであっても良い。但し、これらの各二次電池ブロックＢ１,Ｂ２,Ｂ３,Ｂ４は、互いに同一仕様のものからなる。
【００１４】
さてこの二次電池装置は、例えば図２(ａ)に示すように４個の二次電池ブロックＢ１,Ｂ２,Ｂ３,Ｂ４を１列に並べて配置して、或いは図２(ｂ)に示すように４個の二次電池ブロックＢ１,Ｂ２,Ｂ３,Ｂ４を２列・２行にマトリックス配列して構成される。そしてこれらの各二次電池ブロックＢ１,Ｂ２,Ｂ３,Ｂ４は、スイッチとしてのＭＯＳ型電界効果トランジスタＱ１,Ｑ２,Ｑ３,Ｑ４をそれぞれ直列に介して並列接続されている。
【００１５】
これらのＭＯＳ型電界効果トランジスタＱ１,Ｑ２,Ｑ３,Ｑ４は、そのスイッチ素子であるＦＥＴに並列接続されたボディーダイオード（寄生ダイオード）ｄをそれぞれ内蔵したものであり、これらの各ボディーダイオードｄは前記各二次電池ブロックＢ１,Ｂ２,Ｂ３,Ｂ４を並列接続してその放電路を形成している。また各ＭＯＳ型電界効果トランジスタＱ１,Ｑ２,Ｑ３,Ｑ４は、後述する制御回路ＣＯＮＴの制御を受けて導通駆動されて前記各二次電池ブロックＢ１,Ｂ２,Ｂ３,Ｂ４に対する充電路を個別に形成する役割を担っている。
【００１６】
尚、二次電池ブロックＢ１,Ｂ２,Ｂ３,Ｂ４からの放電電流が前記各ボディーダイオードｄの定格電流を超えるような場合には、前記各トランジスタＱ１,Ｑ２,Ｑ３,Ｑ４と並列に放電用のダイオードＤ１,Ｄ２,Ｄ３,Ｄ４をそれぞれ接続し、これらのダイオードＤ１,Ｄ２,Ｄ３,Ｄ４により前記各二次電池ブロックＢ１,Ｂ２,Ｂ３,Ｂ４を並列接続した放電路を形成するようにしておけば良い。
【００１７】
一方、ＭＯＳ型電界効果トランジスタＱ１,Ｑ２,Ｑ３,Ｑ４を直列に介して並列接続された二次電池ブロックＢ１,Ｂ２,Ｂ３,Ｂ４には満充電検出回路ＦＣが接続されている。この満充電検出回路ＦＣは、例えば公知の−ΔＶ検出回路からなり、ＭＯＳ型電界効果トランジスタＱ１,Ｑ２,Ｑ３,Ｑ４のソース電圧を監視している。そして満充電検出回路ＦＣは、各二次電池ブロックＢ１,Ｂ２,Ｂ３,Ｂ４の充電時におけるソース電圧が所定電圧だけ低下したとき、これを上記二次電池ブロックＢ１,Ｂ２,Ｂ３,Ｂ４が満充電に達したと判断して満充電検知信号を出力するものとなっている。
【００１８】
前述した制御回路ＣＯＮＴは、基本的には前記二次電池ブロックＢ１,Ｂ２,Ｂ３,Ｂ４の充電時に作動して前記ＭＯＳ型電界効果トランジスタＱ１,Ｑ２,Ｑ３,Ｑ４の中の１つを選択的に導通させると共に、前記満充電検出回路ＦＣから出力される満充電検知信号を受けて動作制御されて、択一的に導通させるＭＯＳ型電界効果トランジスタＱ１,Ｑ２,Ｑ３,Ｑ４を順次切り換える役割を担っている。具体的には制御回路ＣＯＮＴは、セレクタＳＥＬを用いて前記電界効果トランジスタＱ１,Ｑ２,Ｑ３,Ｑ４の各ゲート電圧をそれぞれ制御し、これらの電界効果トランジスタＱ１,Ｑ２,Ｑ３,Ｑ４を択一的に導通駆動するように構成されている。特に制御回路ＣＯＮＴは、満充電検出回路ＦＣから満充電検知信号が与えられる都度、択一的に導通駆動する電界効果トランジスタＱ１,Ｑ２,Ｑ３,Ｑ４を予め定められた順序に従って切り換えることで、前述した二次電池ブロックＢ１,Ｂ２,Ｂ３,Ｂ４を順次満充電に至るまでそれぞれ充電制御するものとなっている。
【００１９】
図３はその制御手順の一例を示している。この制御手順について簡単に説明すると、基本的には制御回路ＣＯＮＴは、全ての電界効果トランジスタ（スイッチ）Ｑ１,Ｑ２,Ｑ３,Ｑ４を導通（オン）状態に設定し、二次電池ブロックＢ１,Ｂ２,Ｂ３,Ｂ４を並列接続してその放電路を形成している［ステップＳ１］。この状態で前述した電源スイッチＳＷをオン（導通）させることにより、各二次電池ブロックＢ１,Ｂ２,Ｂ３,Ｂ４に充電された電荷（充電エネルギ）が負荷ＲＬに供給（放電）されて該負荷ＲＬが駆動される。
【００２０】
このような負荷ＲＬへの電源供給（放電）の後、或いは自然放電によって二次電池ブロックＢ１,Ｂ２,Ｂ３,Ｂ４の充電量が低下した場合、図示しないトリガ回路から充電指令が発せられる。すると制御回路ＣＯＮＴにおいてはこの充電指令を検出して以下に示す充電制御を開始する［ステップＳ２］。尚、充電指令が与えられない場合には、全ての電界効果トランジスタ（スイッチ）Ｑ１,Ｑ２,Ｑ３,Ｑ４の導通（オン）状態が継続され、上述した二次電池ブロックＢ１,Ｂ２,Ｂ３,Ｂ４に対する放電路の形成状態が維持される。
【００２１】
さて充電制御は、先ずその制御パラメータｎを“１”に初期設定することから開始される［ステップＳ３］。この初期設定の後、前記二次電池ブロックＢ１,Ｂ２,Ｂ３,Ｂ４から放電電流が流れ出ていないかを確認した上で［ステップＳ４］、上記パラメータｎに従ってトランジスタ（スイッチ）Ｑ１,Ｑ２,Ｑ３,Ｑ４に対する導通制御パターンＮを求める。この導通制御パターンＮは、パラメータｎに対応付けて予め設定したもので、例えば図４に示すように“パターン１”では電界効果トランジスタＱ２だけを導通させる、“パターン２”では電界効果トランジスタＱ４だけを導通させる、“パターン３”では電界効果トランジスタＱ１だけを導通させる、そして“パターン４”では電界効果トランジスタＱ３だけを導通させる、等として定められている。そしてこの導通制御パターンＮに従って特定される電界効果トランジスタＱ（トランジスタＱ１,Ｑ２,Ｑ３,Ｑ４の中の１つ）だけを導通駆動し、当該電界効果トランジスタＱに直列接続されている二次電池ブロックＢだけを充電する［ステップＳ５］。
【００２２】
このようにして二次電池ブロックＢ１,Ｂ２,Ｂ３,Ｂ４の中の１つを充電している際には、前述した満充電検出回路ＦＣによってその満充電状態が検出され、満充電検知信号が出力されたか否かを常時監視する［ステップＳ６］。そして当該二次電池ブロックＢが満充電まで充電されたことが確認されたならば、前述した制御パラメータｎをインクリメント（＋１）し［ステップＳ７］、インクリメントされた制御パラメータｎがオーバフローしていないことを確認した上で［ステップＳ８］、前述したステップＳ４からの充電制御を繰り返し実行する。尚、制御パラメータｎのオーバフロー判定は、この例では充電対象とする二次電池ブロックが４個であるので、前記制御パラメータｎが“５”となったか否かを判定することにより実行される。
【００２３】
かくしてこのような充電制御によれば、前述した図２(ａ)に示すように配列された４個の二次電池ブロックＢ１,Ｂ２,Ｂ３,Ｂ４の内、先ず２番目の二次電池ブロックＢ２が充電され、この二次電池ブロックＢ２が満充電に至ったとき、電界効果トランジスタＱ１,Ｑ２,Ｑ３,Ｑ４の切り換え制御により、今度は４番目の二次電池ブロックＢ４が充電される。そしてこの４番目の二次電池ブロックＢ４が満充電まで充電されると、次に１番目の二次電池ブロックＢ１が充電され、その後、３番目の二次電池ブロックＢ３が充電されることになる。そしてこれらの各二次電池ブロックＢ１,Ｂ２,Ｂ３,Ｂ４の全てがそれぞれ満充電まで充電され、制御パラメータｎが“５”となった時点でその充電処理が終了することになる。この結果、複数の二次電池ブロックＢ１,Ｂ２,Ｂ３,Ｂ４の全てを、その最大充電容量までそれぞれ確実に充電することが可能となる。
【００２４】
また上述した充電制御において前述した図２(ａ)に示した配列の場合は、制御パラメータｎの下で４個の二次電池ブロックＢ１,Ｂ２,Ｂ３,Ｂ４を［Ｂ２→Ｂ４→Ｂ１→Ｂ３］の順序で順に充電するようになっている。また前述した図２(ｂ)に示した配列の場合には、４個の二次電池ブロックＢ１,Ｂ２,Ｂ３,Ｂ４を［Ｂ１→Ｂ４→Ｂ３→Ｂ２］の順序で順に充電するように充電制御パターンを組んである。即ち、二次電池を充電したとき、その充電反応に伴う発熱が生じることが否めない。一方、二次電池の電池特性は、電池温度が高くなるに従って低下する傾向にある。そこでこの実施形態においては、充電中の二次電池ブロックからの発熱の影響を受けることの少ない二次電池ブロックとして、現在充電中の二次電池ブロックに隣接していない二次電池ブロックを次の充電対象とするように、または対向面積の少ない二次電池ブロックを次の充電対象とするように予め設定している。そしてこのような充電順序の設定により各二次電池ブロックＢ１,Ｂ２,Ｂ３,Ｂ４を、それぞれ他の二次電池ブロックからの熱的な影響をなるべく受けることのない状態で充電し、これによって各二次電池ブロックＢ１,Ｂ２,Ｂ３,Ｂ４をそれぞれ満充電状態まで確実に充電するものとなっている。
【００２５】
かくして上述した如く構成された二次電池装置によれば、負荷ＲＬに対する電力供給時（放電時）には並列接続して用いられる複数の二次電池ブロックＢ１,Ｂ２,Ｂ３,Ｂ４を充電するに際して、各二次電池ブロックＢ１,Ｂ２,Ｂ３,Ｂ４と充電電源ＰＳとの間にそれぞれ直列に介挿された電界効果トランジスタ（スイッチ）Ｑ１,Ｑ２,Ｑ３,Ｑ４を択一的に導通（オン）させて上記各トランジスタ（スイッチ）Ｑ１,Ｑ２,Ｑ３,Ｑ４を順次１つずつ充電していくので、これらの各二次電池ブロックＢ１,Ｂ２,Ｂ３,Ｂ４のそれぞれ満充電状態まで確実に充電することができる。
【００２６】
しかも前述した如く、その充電順序を充電中の二次電池ブロックに隣接していない二次電池ブロックを次の充電対象とするように、または対向面積の少ない二次電池ブロックを次の充電対象とするように予め設定しているので、満充電まで充電した二次電池ブロックからの煽り熱の影響を抑え、不本意な電池温度の上昇を抑えながら各二次電池ブロックＢ１,Ｂ２,Ｂ３,Ｂ４を確実に充電することができる。この結果、二次電池ブロックＢ１,Ｂ２,Ｂ３,Ｂ４間の充電量のバラツキを抑えて、充電不足を回避することができる等の効果が奏せられる。更には各二次電池ブロックＢ１,Ｂ２,Ｂ３,Ｂ４の不本意な温度上昇（発熱）を抑えることができるので、電池特性の劣化を少なくし、その長寿命化を図り得る等の効果も奏せられる。
【００２７】
次に本発明の第２の実施形態について図５を参照して説明する。
この実施形態は、前述した如く並列に接続して用いられる４個の二次電池ブロックＢ１,Ｂ２,Ｂ３,Ｂ４に対してその充放電電流を検出する電流検出回路ＣＤを設け、この電流検出回路ＣＤにより二次電池ブロックＢ１,Ｂ２,Ｂ３,Ｂ４からの放電電流が検出されたとき、前述した電界効果トランジスタ（スイッチ）Ｑ１,Ｑ２,Ｑ３,Ｑ４の全てを強制的に導通（オン）するように構成したものである。上述した電流検出回路ＣＤは、図５に例示するように４個の二次電池ブロックＢ１,Ｂ２,Ｂ３,Ｂ４の前述した電界効果トランジスタ（スイッチ）Ｑ１,Ｑ２,Ｑ３,Ｑ４をそれぞれ直列に接続した電極（アノード）側とは逆側の、互いに共通接続したカソード側に対して直列に介挿した電流検出用の抵抗ＲＳと、この抵抗ＲＳの両端間に生じる電圧から充放電電流を検出する電圧増幅器ＡＭＰとからなる。
【００２８】
そしてこの電流検出回路ＣＤにより放電電流が検出されたとき、電圧増幅器ＡＭＰから出力される検出信号をオア回路ＯＲを介して前記電界効果トランジスタ（スイッチ）Ｑ１,Ｑ２,Ｑ３,Ｑ４に印加し、これらの各トランジスタ（スイッチ）Ｑ１,Ｑ２,Ｑ３,Ｑ４を一斉に導通（オン）させるように構成される。尚、上記オア回路ＯＲは、前述したセレクタＳＥＬからの出力、または上記電圧増幅器ＡＭＰからの出力を前記電界効果トランジスタ（スイッチ）Ｑ１,Ｑ２,Ｑ３,Ｑ４のゲートに加える役割を担う。
【００２９】
かくして上述した如く構成された二次電池装置によれば、二次電池ブロックＢ１,Ｂ２,Ｂ３,Ｂ４の充電時には前述したように電界効果トランジスタ（スイッチ）Ｑ１,Ｑ２,Ｑ３,Ｑ４を順次１個ずつ導通（オン）させて各二次電池ブロックＢ１,Ｂ２,Ｂ３,Ｂ４を順次満充電まで充電することになる。そして電源スイッチＳＷの導通（オン）に伴ってボディーダイオードｄまたはダイオードＤ１,Ｄ２,Ｄ３,Ｄ４を介する負荷ＲＬへの電力供給（放電）が始まると、その放電電流を検出して電界効果トランジスタ（スイッチ）Ｑ１,Ｑ２,Ｑ３,Ｑ４の全てを導通させることになる。この結果、各二次電池ブロックＢ１,Ｂ２,Ｂ３,Ｂ４からの放電電流は、導通（オン）抵抗の小さい電界効果トランジスタ（スイッチ）Ｑ１,Ｑ２,Ｑ３,Ｑ４をそれぞれ介して流れることになり、ボディーダイオードｄまたはダイオードＤ１,Ｄ２,Ｄ３,Ｄ４における抵抗損失を招来することなしに、換言すればダイオードでの発熱を伴うことなしに負荷ＲＬに供給されることになる。
【００３０】
従って複数の二次電池ブロックＢ１,Ｂ２,Ｂ３,Ｂ４にそれぞれ直列に接続した電界効果トランジスタ（スイッチ）Ｑ１,Ｑ２,Ｑ３,Ｑ４によりその充電を効果的に制御することに加えて、これらの電界効果トランジスタ（スイッチ）Ｑ１,Ｑ２,Ｑ３,Ｑ４を有効に活用して負荷ＲＬへの電力供給時（放電時）における発熱を効果的に抑えることができる等の実用上多大なる効果が奏せられる。
【００３１】
尚、本発明は上述した各実施形態に限定されるものではない。ここでは４個の二次電池ブロックＢ１,Ｂ２,Ｂ３,Ｂ４を備えた二次電池装置を例に説明したが、その数は特に限定されない。具体的には各二次電池ブロックの出力電流容量と、負荷ＲＬが必要とする電流容量とに応じて二次電池ブロックの数を決定すれば十分である。また充電時における複数の二次電池ブロックの充電順序については、これらの二次電池ブロックの配列構成に応じて前述したように定めれば十分である。また充電順序の制御についても種々変形可能である。
【００３２】
また満充電検出回路ＦＣについては、個々の二次電池ブロック毎に設けることも可能であり、満充電検出の方式の従来より種々提唱されている方式を適宜採用可能である。その他、本発明はその要旨を逸脱しない範囲で種々変形して実施することができる。
【図面の簡単な説明】
【００３３】
【図１】本発明の第１の実施形態に係る二次電池装置の概略構成図。
【図２】複数の二次電池ブロックの配列例を示す図。
【図３】充電制御手順の一例を示す図。
【図４】充電順序の制御パターンの例を示す図。
【図５】本発明の第２の実施形態に係る二次電池装置の概略構成図。
【符号の説明】
【００３４】
ＰＳ  充電用電源
ＲＬ  負荷
ＳＷ  電源スイッチ
Ｂ１,Ｂ２,Ｂ３,Ｂ４  二次電池ブロック
Ｑ１,Ｑ２,Ｑ３,Ｑ４  ＭＯＳ型電界効果トランジスタ（スイッチ）
Ｄ１,Ｄ２,Ｄ３,Ｄ４  ダイオード
ＦＣ  満充電検出回路
ＣＯＮＴ  制御回路
ＳＥＬ  セレクタ
ＣＤ  電流検出回路
ＲＳ  電流検出用の抵抗
ＡＭＰ  電圧増幅器
ＯＲ  オア回路
【図１】
2006246595.tif 000003
【図２】
2006246595.tif 000004
【図３】
2006246595.tif 000005
【図４】
2006246595.tif 000006
【図５】
2006246595.tif 000007